(57)【特許請求の範囲】
【請求項１】
可撓性を有する一枚のブランクシートから一体的に打ち抜かれた箱体形成片から成り、この箱体形成片には、互いに平行に連接された側面と、前記側面同士を糊付けする糊付片と、前記側面に折罫線を介して連接された立上片と、前記立上片の折罫線の途中に形成され前記立上片に隣接する側面に膨出して形成された切込線と、前記切込線で囲まれ前記立上片と一体に形成されたストッパーが設けられ、
前記糊付片は、互いに平行に連接された一方の端部に位置する側面に連接方向に設けられ、前記立上片は前記糊付片と反対側の端部に位置する側面に連接方向に設けられ、
前記箱体形成片の組立状態で、前記糊付片は前記立上片が連設された側面に糊付けされ、前記立上片の折罫線は前記側面同士で作られた箱体の角部に一致し、前記立上片は前記折罫線で内側に折られて箱体の側面に重ねられ、
前記立上片を起こして前記ストッパーを弾性変形させ、前記立上片の折罫線を挟んで反対側に回動させて、前記箱体の角部を乗り越えて隣接する側面に前記ストッパーを重ねることにより、前記立上片の折罫線が前記角部とほぼ等しい角度に折り曲げられ、前記立上片が前記ストッパーと略同一平面上に延出し、前記立上片が前記箱体から立体的に起立した状態に保持されることを特徴とする立上片付ケース。
【請求項２】
前記切込線は、前記折罫線を基端部として前記隣接する側面に膨出するコの字形に形成され、前記ストッパーは矩形であり、前記切込線は２箇所に設けられて前記折罫線の中心を挟んで互いに対称に位置していることを特徴とする請求項１記載の立上片付ケース。
【発明の詳細な説明】
【技術分野】
【０００１】
この発明は、箱体形成片と一体に、看板や吊下片等の立上片が設けられている立上片付ケースに関する。
【背景技術】
【０００２】
従来、商品を収容して店頭に陳列するケースには、商品名や商品の効果等が印刷された看板部が、ケース本体から突出して設けられているものがある。例えば図４に示す立上片付ケース１のように、紙や合成樹脂で作られたブランクシートから一体的に打ち抜かれた箱体形成片を組み立てて作られ、一つの側面２に立上片による看板部３が連接して設けられている。側面２の、看板部３と反対の側縁部には、側面４，５，６が連接して設けられている。側面６の側縁部には、側面２に糊付けされる糊付け片７が設けられ、側面２の裏面に糊付けされている。
【０００３】
また、特許文献１に開示されているカード付包装用箱には、箱体形成片に吊下片が一体に設けられている。組立状態で吊下片はケース本体から突出して設けられ、吊下片は、店頭に陳列する際にフック等に吊下げて使用されている。
【０００４】
また、ケース本体から立体的な看板部を設ける手段の一つとして、特許文献２に、ケース本体に貼着するアテンションラベルが開示されている。このアテンションラベルは、商品名等が印刷されたシート状のラベルに、帯状のアーム部が一対の切込線で形成されている。そして、ラベル周縁部のアーム部先端には、ケースに取り付ける粘着剤が設けられている。このアテンションラベルの使用方法は、保管や運搬の際には積み重ねられた他のケース本体に押されて平面となり、そして店頭に陳列するときは、シートの剛性及び弾性によりケース本体から起き上がって３次元の立体ラベルとなる。
【特許文献１】特開平１１−２７８４６５号公報
【特許文献２】特開２０００−２７６０４８号公報
【発明の開示】
【発明が解決しようとする課題】
【０００５】
上記従来の、図４と特許文献１に開示した技術の場合、ケース本体から立体的に突出する看板部や吊下片は、保管や運搬の際に邪魔であり、スペースを多く必要とするものであり不便であった。また、看板部や吊下片が店頭に陳列する前に破損したり折れ曲がったりする場合があり、これを防ぐために保護する工夫も必要であった。
【０００６】
また、特許文献２に開示されているアテンションラベルの場合、保管や運搬の際に商品を積層するなどして押さえると平面となり支障がないが、ケース本体と別にアテンションラベルを準備して貼着する必要があり、コストと取り付け工数がかかるものであった。
【０００７】
この発明は、上記従来の技術の問題点に鑑みてなされたものであり、簡単な構造で不要なときには立上片を収納し、店頭に陳列するときは立上片を簡単な操作で立体的に設け、消費者に強い印象を与えることができる立上片付ケースを提供することを目的とする。
【課題を解決するための手段】
【０００８】
本発明は、可撓性を有する一枚のブランクシートから一体的に打ち抜かれた箱体形成片から成り、この箱体形成片には、互いに平行に連接された側面と、前記側面同士を糊付けする糊付片と、前記側面に折罫線を介して連接された立上片と、前記立上片の折罫線の途中に形成され前記立上片に隣接する側面に膨出して形成された切込線と、前記切込線で囲まれ前記立上片と一体に形成されたストッパーが設けられ、前記箱体形成片の組立状態で、前記立上片は前記折罫線で内側に折られて箱体の側面に重ねられ、前記立上片を起こして前記ストッパーを弾性変形させ、前記立上片の折罫線を挟んで反対側に回動させて前記箱体の側面に前記ストッパーを重ねることにより、前記立上片が前記箱体から立体的に起立した状態に保持される立上片付ケースである。
【０００９】
また、前記糊付片は、互いに平行に連接された一方の端部に位置する側面に連接方向に設けられ、前記立上片は前記糊付片と反対側の端部に位置する側面に連接方向に設けられ、組立状態で前記糊付片は前記立上片が連設された側面に糊付けされ、前記立上片の折罫線は前記側面同士で作られた箱体の角部に一致し、前記ストッパーを弾性変形させて前記箱体の角部を乗り越えて隣接する側面に重ねることにより、前記立上片の折罫線が前記角部とほぼ等しい角度に折り曲げられて、前記立上片が前記ストッパーと略同一平面上に延出し、前記箱体から立体的に起立した状態に保持される。
【００１０】
さらに、前記切込線は、前記折罫線を基端部として前記隣接する側面に膨出するコの字形に形成されて前記ストッパーは矩形であり、前記切込線は２箇所に設けられて前記折罫線の中心を挟んで互いに対称に位置している。
【発明の効果】
【００１１】
本発明の立上片付ケースは、簡単な構造で不要なときには看板部等となる立上片を収納し、店頭に陳列するときは立上片を簡単な操作で箱体から立体的に設け、消費者に強い印象を与えることができる。立上片を箱体から立体的に引き起こす操作は、立上片に一体に設けられたストッパーを弾性変形させて隣接する側面に当設させるだけの簡単なものであり、弱い力で短時間に行うことができる。
【発明を実施するための最良の形態】
【００１２】
以下、この発明の実施形態について図面に基づいて説明する。図１〜図３はこの発明の一実施形態の立上片付ケース１０を示すものであり、後述する箱体から立ち上がる立上片２４が設けられ、立上片２４は広告用の看板部２４ａとなるものである。この実施形態の立上片付ケース１０は、透明で可撓性を有する合成樹脂製等の一枚のブランクシートを打ち抜いて形成された箱体形成片１２を組み立てて設けられている。
【００１３】
図３は箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０は短くて互いにほぼ等しい。さらに側面１４の側縁部には、立上片付ケース１０の組立状態で側面２０の裏面に糊付けされる糊付片２２が設けられている。また、側面２０の側縁部には、立上片２４が連接して形成されている。立上片２４は、側面２０と、連接している幅方向が同じ長さ幅に形成され、連接方向の長さは側面２０よりも少し短く形成されている。そして、糊付片２２、側面１４，１６，１８，２０、立上片２４は、各々折罫線２６，２８，３０，３２，３４で区切られている。
【００１４】
側面２０と立上片２４を区切る折罫線３４には、途中の２箇所に、浅いコの字形の切込線３６が設けられている。切込線３６の、一対の平行な部分の端部３６ａが折罫線３４上に位置し、側面２０側へコの字が膨出するように設けられ、折罫線３４は、一対の端部３６ａの間で途切れている。切込線３６で囲まれた部分はストッパー３８であり、立上片付ケース１０の組立状態で立上片２４の延長上に位置し、一つの平面内に設けられる。一対の切込線３６は、折罫線３４の中間を挟んで等間隔互いに離れた位置に設けられている。
【００１５】
側面１４において、側面どうしの連接方向に対して直角な方向の一端部には、蓋片４０が折罫線４２で区切られて設けられている。蓋片４０の折罫線４２の反対側の端部には、さらに差込片４４が折罫線４６で区切られて設けられている。折罫線４６の両端部には、差込片４４が後述するフラップ５４，６２と係止しやすいように短い切込線が設けられている。側面１４の、折罫線４２と反対側の端部には、蓋片４８が折罫線４９で区切られて設けられている。蓋片４８の折罫線４９の反対側の端部には、さらに差込片５０が折罫線５２で区切られて設けられている。折罫線５２の両端部にも、差込片５０が後述するフラップ５８，６６と係止しやすいように短い切込線が設けられている。
【００１６】
側面１６の、側面１４の折罫線４２に隣接する端部には、台形状のフラップ５４が折罫線５６で区切られて設けられている。側面１６の、折罫線５６と反対側の端部には、台形状のフラップ５８が折罫線６０で区切られて設けられている。同様に、側面２０の、側面１６の折罫線５６側の端部には、台形状のフラップ６２が折罫線６４で区切られて設けられている。側面２０の、折罫線６４と反対側の端部には、台形状のフラップ６６が折罫線６８で区切られて設けられている。
【００１７】
次に、この実施形態の立上片付ケース１０の組立方法の一例について説明する。なお、ここでは図３が立上片付ケース１０の箱体形成片１２の表面を見たものであり、箱体形成片１２の表面が凸になる折り方を正折り、そして裏面が凸になる折り方を逆折りと称する。
【００１８】
まず、折罫線２８を正折りして糊付片２２の表面に糊７０を塗布する。次に折罫線３２を正折りし、側面２０の裏面が糊７０により糊付片２２の表面に糊付けされる。次に商品を収容し包装する工場等において、折罫線２６，２８，３０，３２を各々９０度に正折りして四角形の箱体にする。次に、折罫線５６，６４でフラップ５４，６２を９０度に正折りし、その後折罫線４２で蓋片４０を９０度に正折りし、差込片４４を折罫線４６で正折りし、差込片４４を側面１８の裏面側に差し込んで係止し、一方の端面が形成される。さらに、折罫線６０，６８でフラップ５８，６６を９０度に正折りし、折罫線４９で蓋片４８を９０度に正折りし、差込片５０を折罫線５２で正折りし、差込片５０を側面１８の裏面側に差し込んで係止し、他方の端面が形成される。なお、箱体形成片１２を組み立てる順番はこれ以外でもよく、適宜変更可能である。
【００１９】
次に、この実施形態の立上片付ケース１０の使用方法について説明する。まず、運搬や保管時には、立上片２４が邪魔にならないように、また破損しないように、図１（ａ）、図２(ａ)に示すように、折罫線３４を９０度に正折りした状態にする。このとき、ストッパー３８は、立上片２４の延長上に位置し、側面２０に対して略直角に箱体の側方へ突出する。ストッパー３８は小形であるため、側方へ突出しても立上片付ケース１０を互いに積み重ねる際の支障とならない。
【００２０】
店頭で陳列する際に立上片２４を引き起こして広告効果を得るときは、図１（ｂ）、図２（ｂ）に示すように、折罫線３４を９０度に逆折りし、ストッパー３８を、側面１４と糊付片２２で形成される折罫線２６の角部を、弾性変形させながら乗り越えさせて、側面１４側に引き出す。ストッパー３８は、側面１４に重ねられて係止され、ストッパー３８が立上片２４を保持し立上片２４が側面１４の延長上に立設される。立上片２４の裏面の看板部２４ａには、商品名や商品の効果等があらかじめ印刷されている。印刷する向きは、立上片付ケース１０を陳列する向きに適した方向とし、例えば立上片２４が上方に突出するように陳列する際は折罫線３４側が下となるように印刷する。また側面１４にも、消費者に向けた印刷が設けられている。側面１４と立上片２４の印刷が、互いに関連したり連続したりしてもよい。糊付片２２は側面２０の裏面に位置し、ブランクシートが透明なために糊７０が透過して見えるが、立上片２４の後ろで水平方向に位置して隠されるため、消費者から視認され難い。
【００２１】
この実施形態の立上片付ケース１０によれば、簡単な構造で組立作業が容易であり、必要に応じて立上片２４を簡単な操作で引き起こして広告効果を高め、消費者に強い印象を与えることができる。運搬や保管の際は、立上片２４を側面１４に重ねて収納し、邪魔にならず、少ないスペースに複数の立上片付ケース１０を積み重ねることができる。また、立上片２４が破損することが無く、安全である。糊付片２２は、立上片２４の後に位置する側面２０に糊付けされるため、目立たずにすっきりとする。立上片２４を箱体から立体的に引き起こす操作は、立上片２４に一体に設けられたストッパー３８を弾性変形させて隣接する側面に当設させるだけの簡単なものであり、何度も立上片２４の位置を立て直すことができる。また、側面１４と立上片２４が連続することにより、商品名等の印刷面積が大きくなり、視認されやすく広告効果が高いものである。
【００２２】
なお、この発明は上記実施形態に限定されるものではなく、立上片やストッパーの形状や大きさ、数等、適宜変更可能である。立上片は、看板や吊下片など、いろいろなものに使用することができる。立上片付ケースの素材は、透明な合成樹脂以外に、紙や、紙と合成樹脂を積層したもの等、自由に選択可能である。
【図面の簡単な説明】
【００２３】
【図１】この発明の一実施形態の立上片付ケースの立上片を倒した状態を示す斜視図（ａ）と、立上片を立設した状態を示す斜視図（ｂ）である。
【図２】この実施形態の立上片付ケースの立上片を倒した状態を示す縦断面図（ａ）と、立上片を立設した状態を示す縦断面（ｂ）である。
【図３】この実施形態の立上片付ケースの展開図である。
【図４】従来の技術の立上片付ケースの縦断面である。
【符号の説明】
【００２４】
１０  立上片付ケース
１２  箱体形成片
１４，１６，１８，２０  側面
２２  糊付片
２４  立上片
３４  折罫線
３６  切込線
３８  ストッパー
【図１】
0004820212.tif 000002
【図２】
0004820212.tif 000003
【図３】
0004820212.tif 000004
【図４】
0004820212.tif 000005